【事件の表示】
　特願２００５−１７０４３０「縦方向に伸縮できるペットボトル」拒絶査定不服審判事件〔平成１８年１２月２１日出願公開、特開２００６−３４１９０４〕について、次のとおり審決する。
【結　論】
　本件審判の請求は、成り立たない。
【理　由】
１．手続の経緯
　本件審判に係る出願は、平成１７年６月１０日に出願されたもので、願書に添付した特許請求の範囲、明細書又は図面について平成２２年２月２２日付け手続補正書が提出された後、同年５月１４日付け拒絶理由通知書が送付され、上記特許請求の範囲等について平成２２年７月２０日付け手続補正書が提出されたものの、同年１１月２６日付けで拒絶査定されたものである。
　そして、本件審判は、この拒絶査定を不服として請求されたもので、上記特許請求の範囲等についての平成２３年３月７日付け手続補正書が提出され、その後、同年１０月６日付け審尋が送付されたものの、これに対する回答書の提出は、未だにないものである。
　
２．原査定 
　原査定の拒絶理由は、以下のとおりのものと認める。
　
　「この出願の全ての請求項に係る発明は、その出願前に日本国内又は外国において頒布された下記の刊行物に記載された発明に基いて、その出願前にその発明の属する技術の分野における通常の知識を有する者が容易に発明をすることができたものであるから、特許法第２９条第２項の規定により特許を受けることができない。
１．登録実用新案第３１０６０５９号公報
２．独国特許出願公開第１０３２４８９３号明細書」
　
　「登録実用新案第３１０６０５９号公報」及び「独国特許出願公開第１０３２４８９３号明細書」を、以下、「引用例１」及び「引用例２」という。
　
３．当審の判断
　
３−１．平成２３年３月７日付け手続補正書による手続補正（以下、「本件補正」という。）について
　本件補正は、以下に詳述するように、認められるものである。
　
３−１−１．本件補正の内容 
　本件補正は、以下の補正事項ａ及びｂからなるものと認める。
　
補正事項ａ；特許請求の範囲の記載につき、以下の（ｃｌ）を（ＣＬ）と補正する。
（ｃｌ）；「【請求項１】
　ペット樹脂のような可撓性ある樹脂材料で造られ、上端に飲み口部３を有し、側面周囲を水平方向或いは斜方向の蛇腹状２に形成するとともに該蛇腹状２の各襞４は、谷部Ｑを介して連結し、かつ山部Ｐを介する上面５および下面６が断面形状を横Ｖ字状に形成したペットボトル本体１において、
　前記蛇腹状２の各襞４の上面５および下面６を下方に湾曲するとともに、各襞４の水平軸線Ｌ方向の上面５の距離を、下面６の距離より長く形成し、前記蛇腹状２の各襞４の上面５および下面６を容易かつ確実に折り畳みつつ押し潰すことができるとともにこの折り畳み状態を保持することができ、さらに前記ペットボトル本体１を傾倒あるいは逆さ状態として、内容物を飲む際の流出を迅速、スムースならしめるとともにペットボトル本体１の洗浄水による洗浄面のムラをなくし、洗浄水の残留なくペットボトル本体１内の洗浄、殺菌をすることができるように構成したことを特徴とする縦方向に伸縮できるペットボトル。
【請求項２】
　ペット樹脂のような可撓性ある樹脂材料で造られ、上端に飲み口部３を有し、側面周囲を水平方向或いは斜方向の蛇腹状２に形成するとともに該蛇腹状２の各襞４は、谷部Ｑを介して連結し、かつ山部Ｐを介する上面５および下面６が断面形状を横Ｖ字状に形成したペットボトル本体１において、
　前記蛇腹状２の各襞４の上面５および下面６を下方に湾曲するとともに、各襞４の水平軸線Ｌ方向の上面５の距離を、下面６の距離より長く、かつ各襞４の水平軸線Ｌの上半分の高さｈ２を、下半分の高さｈ３より高く形成し、前記蛇腹状２の各襞４の上面５および下面６を容易かつ確実に折り畳みつつ押し潰すことができるとともにこの折り畳み状態を保持することができ、さらに前記ペットボトル本体１を傾倒あるいは逆さ状態として、内容物を飲む際の流出を迅速、スムースならしめるとともにペットボトル本体１の洗浄水による洗浄面のムラをなくし、洗浄水の残留なくペットボトル本体１内の洗浄、殺菌をすることができるように構成したことを特徴とする縦方向に伸縮できるペットボトル。
【請求項３】
　ペット樹脂のような可撓性ある樹脂材料で造られ、上端に飲み口部３を有し、側面周囲を水平方向或いは斜方向の蛇腹状２に形成するとともに該蛇腹状２の各襞４は、谷部Ｑを介して連結し、かつ山部Ｐを介する上面５および下面６が断面形状を横Ｖ字状に形成したペットボトル本体１において、
　前記蛇腹状２の各襞４の上面５および下面６を下方に湾曲するとともに、各襞４の水平軸線Ｌ方向の上面５の距離を、下面６の距離より長く形成し、さらに前記各襞４の谷部Ｑに、当該谷部Ｑよりさらにペットボトル本体１の軸線方向に突出させて環状の窪み７を形成し、前記蛇腹状２の各襞４の上面５および下面６を容易かつ確実に折り畳みつつ押し潰すことができるとともにこの折り畳み状態を保持することができ、さらに前記ペットボトル本体１を傾倒あるいは逆さ状態として、内容物を飲む際の流出を迅速、スムースならしめるとともにペットボトル本体１の洗浄水による洗浄面のムラをなくし、洗浄水の残留なくペットボトル本体１内の洗浄、殺菌をすることができるように構成したことを特徴とする縦方向に伸縮できるペットボトル。
【請求項４】
　前記蛇腹状２の各襞４の前記谷部Ｑと山部Ｐの肉厚との比較において、谷部Ｑの肉厚を山部Ｐの肉厚より厚く形成することにより構成したことを特徴とする請求項１〜３に記載の縦方向に伸縮できるペットボトル。」
（ＣＬ）「【請求項１】
　ペット樹脂のような可撓性ある樹脂材料で造られ、上端に飲み口部３を有し、側面周囲を水平方向或いは斜方向の蛇腹状２に形成するとともに該蛇腹状２の各襞４は、谷部Ｑを介して連結し、かつ山部Ｐを介する上面５および下面６が断面形状を横Ｖ字状に形成したペットボトル本体１において、
　前記蛇腹状２の各襞４の上面５をペットボトル本体１の内側で、かつ当該上面５に対向する下面６方向である下方に湾曲し、また当該上面５に対向する下面６をペットボトル本体１の外側方向である下方に湾曲するとともに、各襞４の水平軸線Ｌ方向の上面５の距離を、下面６の距離より長く形成し、
　さらに、前記蛇腹状２の各襞４の前記谷部Ｑと山部Ｐの肉厚との比較において、谷部Ｑの肉厚を山部Ｐの肉厚より厚く形成するとともに、前記各襞４の谷部Ｑに、当該谷部Ｑよりさらにペットボトル本体１の軸線方向に突出させて環状の窪み７を形成し、前記蛇腹状２の各襞４の上面５および下面６を容易かつ確実に折り畳みつつ押し潰すことができるとともにこの折り畳み状態を保持することができ、さらに前記ペットボトル本体１を傾倒あるいは逆さ状態として、内容物を飲む際の流出を迅速、スムースならしめるとともにペットボトル本体１の洗浄水による洗浄面のムラをなくし、洗浄水の残留なくペットボトル本体１内の洗浄、殺菌をすることができるように構成したことを特徴とする縦方向に伸縮できるペットボトル。」
　
補正事項ｂ；明細書の段落【００４４】の記載につき、
　「本発明を実施するに当たって、その襞４の形状は各種のものが考えられる。その一例としてこの実施例（図３）では、その上面５も下面６も下方に湾曲した断面略々横Ｖ字の形状をしている。さらにこの場合その襞４の上面５は水平軸線Ｌ方向の距離が下面６の距離よりも実質的に長いことである。また、これに加えその水平軸線Ｌの上方ｈ２が高く下方ｈ３は低くなっている。」とあるのを、
　「本発明を実施するに当たって、その襞４の形状は各種のものが考えられる。その一例としてこの実施例（図３）では、その上面５をペットボトル本体１の内側で、かつ当該上面５に対向する下面６方向である下方に湾曲し、また当該上面５に対向する下面６をペットボトル本体１の外側方向である下方に湾曲した断面略々横Ｖ字の形状をしている。さらにこの場合その襞４の上面５は水平軸線Ｌ方向の距離が下面６の距離よりも実質的に長いことである。また、これに加えその水平軸線Ｌの上方ｈ２が高く下方ｈ３は低くなっている。」と補正する。
　
　ここ「３−１．」では、本件補正前の請求項１を旧【請求項１】といい、本件補正後の請求項１を新【請求項１】といい、他の請求項についても同様とする。
　
３−１−２．本件補正の適否
　
（１）補正事項ａについて
　
１）補正事項ａは、特許請求の範囲についてする補正であるので、まずは、その目的について検討する。
　新【請求項１】は、旧【請求項３】を引用した旧【請求項４】（以下、「旧【本件請求項】」という。）に由来するもので、旧【本件請求項】に記載されていた「前記蛇腹状２の各襞４の上面５および下面６を下方に湾曲するとともに、」との事項が「前記蛇腹状２の各襞４の上面５をペットボトル本体１の内側で、かつ当該上面５に対向する下面６方向である下方に湾曲し、また当該上面５に対向する下面６をペットボトル本体１の外側方向である下方に湾曲するとともに、」との事項に補正されていると認められる。
　そこで、補正前後の上記事項について検討すると、補正前の「蛇腹状２の各襞４の上面５を下方に湾曲する」との事項は、補正前の明細書及び図面の記載からして、「蛇腹状２の各襞４の上面５をペットボトル本体１の内側で、かつ当該上面５に対向する下面６方向である下方に湾曲し」との技術的事項であると解釈でき、また、補正前の「蛇腹状２の各襞４の下面６を下方に湾曲する」との事項は、同様に、「上面５に対向する下面６をペットボトル本体１の外側方向である下方に湾曲する」との技術的事項であると解釈できる。
　以上の検討を踏まえると、補正事項ａは、旧【本件請求項】を残して、他の請求項を削除すると共に、補正前に実質的に記載されていた技術的事項を、拒絶査定を受けて、より明りょうな記載にしたといえ、「第３６条第５項に規定する請求項の削除」及び「明りようでない記載の釈明（拒絶理由通知に係る拒絶の理由に示す事項についてするものに限る。）」を目的にしていると認められる。
　
２）また、補正事項ａが、この出願前の願書に最初に添付した特許請求の範囲、明細書又は図面（以下、「当初明細書等」という。）に記載の事項の範囲内でしたものであることは、補正事項ａが、先に「１）」に述べたとおりの目的にしていることから、明らかである。
　
（２）補正事項ｂについて
　補正事項ｂは、【図３】に示された実施例について、「上面５も下面６も下方に湾曲した断面略々横Ｖ字の形状をしている。」との記載を、「上面５をペットボトル本体１の内側で、かつ当該上面５に対向する下面６方向である下方に湾曲し、また当該上面５に対向する下面６をペットボトル本体１の外側方向である下方に湾曲した断面略々横Ｖ字の形状をしている。」との記載に補正するもので、ここに記載の事項は、当初明細書等の【図３】の記載を根拠にしているものといえ、当初明細書等に記載の事項の範囲内でしたものである。
　
３−１−３．まとめ
　本件補正は、平成１８年法律第５５号改正附則第３条第１項によりなお従前の例によるとされる同法による改正前の特許法第１７条の２第３項及び第４項の規定を満たし、認められるものである。
　
３−２．原査定の拒絶理由について
　
３−２−１．本件に係る発明
　本件補正は、先に「３−１．」で述べたように認められるものであって、本件の請求項１に係る発明（以下、「本件発明」という。）は、本件補正後の、願書に添付した特許請求の範囲の請求項１に記載のとおりであって、同項の記載は、先に「３−１−１．」において補正事項ａにつき、（ＣＬ）として認定したとおりのものと認める。
　
３−２−２．引用例の発明
　
１）引用例１及び２には、以下の記載１ａ〜２ａが認められる。
　
引用例１：
１ａ；「【実用新案登録請求の範囲】
【請求項１】
上端部の飲み口部と、該飲み口部の高さ方向の幅と、底部の高さ方向の幅とを除いて、高さ方向の一部或いは全部が水平方向の蛇腹状となっているペットボトル本体であって、この成型されたペットボトル本体を縦方向に圧縮させ、上記ペットボトル本体の蛇腹状部分がその長手方向の一方或いは両方からペットボトル本体の中心方向に押し圧した際、上記蛇腹状部分が重なりあう潰された状態を保つことができるようになしかつ、上記蛇腹状を構成する谷部をペットボトル本体の軸線方向に向う略々環状の窪みに造型したことが特徴の、長さ方向が縮小された状態を保つことが可能なペットボトル。
【請求項２】
上記請求項１に示した各蛇腹状部は、上面が湾曲状で下面が直線状の断面「＞」で構成されていることが特徴の、長さ方向が縮小された状態を保つことが可能なペットボトル。
【請求項３】
上記請求項２に示した各蛇腹状部のその最下段を除く、下面の高さ（巾）が約５乃至７ｍｍで、その上面の高さ（巾）が、下面の高さ（巾）より稍々広い（高い）巾となっていることが特徴の、長さ方向が縮小された状態を保つことが可能なペットボトル。」（２頁）
１ｂ；「【００５３】
この時図１で上記第１段の蛇腹状の外径（２Ａ）の下（ｈ２）の高さは５.５ｍｍ，第２段の蛇腹状の外径（２Ｂ）の上（ｈ１）は７ｍｍ，下は（ｈ２）５ｍｍ，第３段の蛇腹状の外径（２Ｃ）のそれは上が８.５ｍｍ，下が６.５ｍｍとなした。
【００５４】
より具体的に上記蛇腹状はその断面形状、特に肉厚が重要な構成のポイントとなっており、それは図３で示している。
【００５５】
即ち上記蛇腹状（２）を構成する谷部（Ｐ）の肉厚が、同山部（Ｑ）の肉厚との比較に於て、厚く造型されていることであり、具体的な例としては谷部（Ｐ）の肉厚は、０.４９ｍｍであり、山部（Ｐ）の肉厚は０.２７ｍｍ，この谷部（Ｐ）と山部（Ｑ）との略中間部の厚さは０.３９ｍｍとした。」（８頁）
１ｃ；「【図面の簡単な説明】
【００９２】
【図１】本考案ペットボトル本体全体の正面図
【図２】潰された状態のペットボトル本体全体の正面説明図
【図３】蛇腹形状を構成する襞部の断面拡大図」（１２頁）並びに【図１】〜【図３】（１３頁）
　
引用例２：
２ａ；「Patentanspruche
１．Flasche aus Kunststoff, ・・・gewolbt ausgebildet sind.（5/8頁右欄９〜１８行、翻訳；特許請求の範囲　１　ボトルを折り畳みロックするための用具として機能する部材を備えたプラスチック製ボトルであっで、該ボトルの底部１１（第１図）の近くの部位からボトルの頚部１２（第１図）の近くの部位に至る基体１０（第１図）が、変動径１３及び１４（第１図）を有し、且つ折り畳み面１５及び１６（第１図）が湾曲する様式で折り畳み面を構成していることを特徴とするプラスチック製ボトル。）」及びＦｉｇ．１（７頁）
　
２）引用例１には、その記載全体によれば、ペットボトルについての発明が記載されていると認められる。
　そして、記載ａの【請求項１】には、先に記載ａとして摘示したとおりの記載がなされており、該記載における「蛇腹状」のものとは、この出願当時の技術常識に従い記載１ｃをみれば、複数の「各襞」から構成され、「各襞」は、「谷部を介して連結し」、かつ「山部を介する上面および下面から」なるもので、その断面形状がＶ字状のものが普通に想念されるものであって、記載ａの【請求項１】には、要すれば、「上端部の飲み口部と、該飲み口部の縦方向の幅と、底部の縦方向の幅とを除いて、縦方向の一部或いは全部が蛇腹状となっており、該蛇腹状の各襞は、谷部を介して連結し、かつ山部を介する上面および下面が断面形状を横Ｖ字状に形成されているペットボトル本体であって、この成型されたペットボトル本体を縦方向に圧縮させることにより、上記蛇腹状部分が重なりあう潰された状態を保つことができるようになし、かつ、上記蛇腹状を構成する谷部に、ペットボトル本体の縦方向中心軸に向う略々環状の窪みを造型した、縦方向が縮小された状態を保つことが可能なペットボトル。」の発明が記載されていると認められる。
　そこで、更に、引用例１の記載を検討すると、その記載１ｂの段落【００５４】〜【００５５】には、上記発明の谷部の肉厚を山部の肉厚より厚く造型することが記載されて、以上の検討を踏まえると、引用例１には、以下の発明（以下、「引用発明１」という。）が記載されていると認められる。
　
　「上端部の飲み口部と、該飲み口部の縦方向の幅と、底部の縦方向の幅とを除いて、縦方向の一部或いは全部が蛇腹状となっており、該蛇腹状の各襞は、谷部を介して連結し、かつ山部を介する上面および下面が断面形状を横Ｖ字状に形成されているペットボトル本体であって、この成型されたペットボトル本体を縦方向に圧縮させることにより、上記蛇腹状部分が重なりあう潰された状態を保つことができるようになし、かつ、上記蛇腹状を構成する谷部に、ペットボトル本体の縦方向中心軸に向う略々環状の窪みを造型した、縦方向が縮小された状態を保つことが可能なペットボトルにおいて、
　蛇腹状を構成する谷部の肉厚を山部の肉厚より厚く造型した上記ペットボトル。」
　
３）また、引用例２には、記載２ａによれば、プラスチック製ボトルについての発明が記載され、特に、記載２ａのＦｉｇ．１を参照すると、プラスチック製ボトルの側面周囲は蛇腹状に形成されており、引用例２の記載全体からして、この蛇腹状に形成することにより、プラスチック製ボトルを縦方向に圧縮できるようにしているものと認められる。そして、上記蛇腹状の形状を構成する各襞は、谷部を介して連結し、かつ山部を介する上面および下面が断面形状を横Ｖ字状に形成され、その上面をボトルの内側で、かつ当該上面に対向する下面方向である下方に湾曲し、また当該上面に対向する下面をボトルの外側方向である下方に湾曲させていることが見て取れる。
　してみると、引用例２には、以下の発明（以下「引用発明２」という。）が記載されていると認められる。
　
　「その側面周囲が蛇腹状に形成されていることにより、縦方向に圧縮できるようにしているプラスチック製ボトルにおいて、蛇腹状の形状を構成する各襞は、谷部を介して連結し、かつ山部を介する上面および下面が断面形状を横Ｖ字状に形成され、その上面をボトルの内側で、かつ当該上面に対向する下面方向である下方に湾曲させ、また当該上面に対向する下面をボトルの外側方向である下方に湾曲させたプラスチック製ボトル」
　
３−２−３．対比判断
　
１）本件発明と引用発明１とを対比すると、引用発明１のペットボトルが、その縦方向が縮小された状態から伸張できることは、引用例１の記載全体から明らかで、両発明は、
　
　「ペット樹脂のような可撓性ある樹脂材料で造られ、上端に飲み口部３を有し、側面周囲を水平方向或いは斜方向の蛇腹状２に形成するとともに該蛇腹状２の各襞４は、谷部Ｑを介して連結し、かつ山部Ｐを介する上面５および下面６が断面形状を横Ｖ字状に形成したペットボトル本体１において、
　さらに、前記蛇腹状２の各襞４の前記谷部Ｑと山部Ｐの肉厚との比較において、谷部Ｑの肉厚を山部Ｐの肉厚より厚く形成するとともに、前記各襞４の谷部Ｑに、当該谷部Ｑよりさらにペットボトル本体１の軸線方向に突出させて環状の窪み７を形成した、縦方向に伸縮できるペットボトル。」で一致し、
　
　以下の相違点Ａ及びＢで、一応、相違していると認められる。
　
相違点Ａ；本件発明は、「蛇腹状２の各襞４の上面５をペットボトル本体１の内側で、かつ当該上面５に対向する下面６方向である下方に湾曲し、また当該上面５に対向する下面６をペットボトル本体１の外側方向である下方に湾曲するとともに、各襞４の水平軸線Ｌ方向の上面５の距離を、下面６の距離より長く形成し」た点。
相違点Ｂ；本件発明は、「蛇腹状２の各襞４の上面５および下面６を容易かつ確実に折り畳みつつ押し潰すことができるとともにこの折り畳み状態を保持することができ、さらにペットボトル本体１を傾倒あるいは逆さ状態として、内容物を飲む際の流出を迅速、スムースならしめるとともにペットボトル本体１の洗浄水による洗浄面のムラをなくし、洗浄水の残留なくペットボトル本体１内の洗浄、殺菌をすることができるように構成し」た点。
　
２）相違点Ａ及びＢについて検討する。
　
２−１）引用発明１と２は、共に、プラスチック製ボトルにおいて、その形状の一部を蛇腹状とすることにより、ボトルをその縦方向に縮め得るようにしたといった、同一技術分野に属する発明で、引用発明１の蛇腹状の形態として、引用発明２の「蛇腹状の形状を構成する各襞は、谷部を介して連結し、かつ山部を介する上面および下面が断面形状を横Ｖ字状に形成され、その上面をボトルの内側で、かつ当該上面に対向する下面方向である下方に湾曲させ、また当該上面に対向する下面をボトルの外側方向である下方に湾曲させた」との技術的事項を適用することは、容易になし得るものである。
　また、上記技術的事項を適用するに際して、蛇腹状を構成する各襞において、その山部の最頂部のボトル縦方向位置を、ボトル縦方向上下にある２つの谷部最底部間において、そのボトル縦方向中間位置にするか、或いは、中間位置の上方又は下方とするかは適宜に設定し得る事項で、中間位置の下方とすることは容易に設計できるものであって、そうした場合、各襞の水平軸線方向の上面の距離が下面の距離より長くなるのは自然なことである。特に、引用例１の記載１ａの【請求項３】や１ｂの段落【００５３】から、上記最頂部の位置を上記中間位置の下方とすることが見て取れることは、この下方とすることが適宜に設定し得る事項であるとした上述の認定と符合するものである。
　
２−２）また、引用発明１の蛇腹状の形態として、上記技術的事項を適用したものについて検討すれば、その構成、特に、各襞の上面がボトルの内側で当該上面に対向する下面方向である下方に湾曲させ、また当該上面に対向する下面をボトルの外側方向である下方に湾曲させたものとなることから、これが「蛇腹状の各襞の上面および下面を容易かつ確実に折り畳みつつ押し潰すことができるとともにこの折り畳み状態を保持することができ、さらにペットボトル本体を傾倒あるいは逆さ状態として、内容物を飲む際の流出を迅速、スムースならしめるとともにペットボトル本体の洗浄水による洗浄面のムラをなくし、洗浄水の残留なくペットボトル本体内の洗浄、殺菌をすることができるように構成」されていることは、明らかであるし、少なくとも、上述した、上面や下面を下方に湾曲させる際の、その湾曲の程度を工夫することなどにより、容易になし得るものである。
　
２−３）以上の検討から、相違点Ａ及びＢは、容易になし得るものである。
　
３）したがって、本件発明は、引用発明１及び２に基いて、容易に発明をすることができたものである。
　これに対し、請求人は、本件に係る審判請求書において、要するに、本件発明は、「ペットボトル本体の洗浄水による洗浄面のムラをなくし、洗浄水の残留なくペットボトル本体内の洗浄、殺菌をすることができるように」することを目的にしているもので、引用例１及び２には、該目的を有する発明は記載されていない旨を主張するが、本件発明は、先に「３−２−１．」で認定したとおりのもので、これまで述べたように、容易に発明をすることができたものであって、仮に、請求人が主張するように、引用例１及び２に、主張するような目的を有するものとして発明が記載されていないとしても、本件発明は、容易に発明をすることができたものであるとの判断を左右しない。
　
３−２−４．まとめ
　本件発明は、引用発明１及び２に基いて、その出願前にその発明の属する技術の分野における通常の知識を有する者が容易に発明をすることができたものであるから、特許法第２９条第２項の規定により特許を受けることができず、原査定の拒絶理由は、相当である。
　
４．結び
　原査定は、妥当である。
　よって、結論のとおり審決する。